Podtech/llm-jp-corpus-v4-ja_patent huggingface dataset:
【手続補正書】
【提出日】平成15年4月18日(2003.4.18)
【手続補正１】
【補正対象書類名】明細書
【補正対象項目名】特許請求の範囲
【補正方法】変更
【補正の内容】
【特許請求の範囲】
【請求項１】
光学活性ガラス・セラミック物品であって、
本質的にＺｎＯおよびＺｎＦ３を含んでおらず、高い光学的清澄性を呈示し、カチオン・パーセントで表わされた下記の成分、
ＳｉＯ２      ２０−３５
ＡｌＯ１．５  １０−２０
ＣｄＦ２      １９−３４
ＰｂＦ２      １９−２３
ＹＦ３          ３−７
約５０〜６５０ｐｐｍｗの範囲内の濃度のＰｒ＋３
より本質的になる１つの結晶相のみより本質的になり、第１および第２の端部を有する細長い中心部材と、
前記細長い中心部材の表面を覆っているが前記第１および第２の端部を露呈させており、酸化物をベースとして重量パーセントで表わされた下記の成分、
ＳｉＯ２      ２３−３０
ＰｂＯ        ４９−６０
Ｋ２Ｏ          ５−１１
Ｂ２Ｏ２        １−１０
Ｌｉ２Ｏ        ０−１
ＢａＯ          ０−８
Ａｌ２Ｏ３      ０−３
Ｎａ２Ｏ        ０−２
より本質的になる透明なガラスを具備した光学活性ガラス・セラミック物品。
【請求項２】
光学活性ガラス・セラミック物品であって、
高い光学的清澄性を呈示し、カチオン・パーセントで表わされて下記の成分、
ＳｉＯ２      ２０−３５
ＡｌＯ１．５  １０−２０
ＣｄＦ２      １９−３４
ＰｂＦ２      １９−２３
ＹＦ３          ３−７
ＺｎＦ２        ３−７
約５０〜６５０ｐｐｍｗの範囲内の濃度のＰｒ＋３
より本質的になる１つの結晶相のみより本質的になり、第１および第２の端部を有する細長い中心部材と、
前記細長い中心部材の表面を覆っているが前記第１および第２の端部を露呈させており、酸化物をベースとして重量パーセントで表わされた下記の成分、
ＳｉＯ２      ２３−３０
ＰｂＯ        ４９−６０
Ｋ２Ｏ          ５−１１
Ｂ２Ｏ２        １−１０
Ｌｉ２Ｏ        ０−１
ＢａＯ          ０−８
Ａｌ２Ｏ３      ０−３
Ｎａ２Ｏ        ０−２
より本質的になる透明なガラスを具備した光学活性ガラス・セラミック物品。
【請求項３】
Ｐｒ＋３の濃度が２００−５００ｐｐｍｗの範囲内である請求項１または２の光学活性ガラス・セラミック物品。
【請求項４】
カチオン・パーセントで表わした下記の成分、
ＢＯ１．５      ０−７
ＧｅＯ２        ０−１２
ＰＯ２．５      ０−７
ＴｉＯ２        ０−３
Ｎｂ２Ｏ５      ０−２
ＧａＦ３        ０−７
ＨｆＦ４        ０−７
ＩｎＦ３        ０−７
ＬｕＦ３        ０−５
ＬａＦ３        ０−１
ＣｄＣｌ２      ０−３
ＣｄＳ          ０−５
よりなるグループから選択された少なくとも１つの成分を全体で１７カチオン・パーセントまで前記中央部材に含んでいる請求項１または２の光学活性ガラス・セラミック物品。
【請求項５】
前記光学活性ガラス・セラミック物品が光導波路ファイバ増幅器である請求項４の光学活性ガラス・セラミック物品。
【請求項６】
前記光学活性ガラス・セラミック物品がレーザである請求項４の光学活性ガラス・セラミック物品。
【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
画像形成装置から排出される用紙を搬送経路中でスタックするスタック手段と、用紙束を綴じるスティプル手段と、
このスティプル手段によって用紙を綴じるために用紙の幅方向の揃え動作を行う用紙揃え手段と、
綴じられた用紙束の端部が当接する突起と、
この突起を用紙放出方向に移動させて前記用紙束を放出する放出手段と、
を有する用紙後処理装置において、
前記突起を反用紙放出方向に移動させて前記用紙束の反対端に当接させ、前記用紙束の用紙進行方向の揃え動作を行わせる制御手段を備えていることを特徴とする用紙後処理装置。
【請求項２】
前記制御手段は、前記用紙揃え手段による用紙揃え動作の前に前記放出手段の突起を反用紙放出方向に移動させて前記用紙の揃え動作を行わせることを特徴とする用紙後処理装置。
【請求項３】
前記制御手段は、用紙の枚数に応じて前記放出手段による揃え動作を行うことを特徴とする請求項１または２記載の用紙後処理装置。
【請求項４】
前記制御手段は、用紙のサイズに応じて前記放出手段による揃え動作を行うことを特徴とする請求項１ないし３のいずれか１項に記載の用紙後処理装置。
【請求項５】
前記用紙揃え手段による揃え動作中に次の用紙の用紙揃え動作の指示入力があったときに、前記制御手段は前記動作の指示入力を無視することを特徴とする請求項１記載の用紙後処理装置。
【請求項６】
前記放出手段が、前記突起を備え、用紙放出方向に平行に駆動される無端状の放出ベルトからなるとともに、前記突起が１つの放出ベルトに２個設けられていることを特徴とする請求項１記載の用紙後処理装置。
【請求項７】
画像形成装置から排出される用紙をスタック手段に積載し、綴じ処理を行う用紙後処理装置において、
前記スタック手段に載置される用紙の用紙搬送方向に直交する用紙幅方向を揃える用紙幅揃え手段と、
前記スタック手段に載置される用紙の用紙搬送方向を整合する用紙縦揃え手段と、
を有し、
前記用紙縦揃え手段は、前記スタック手段に載置される用紙の用紙進行方向先端部を位置決めする先端突き当て部材と、前記スタック手段の用紙搬送方向に往復移動可能に支持され、用紙進行方向後端部に圧接して前記用紙の先端部を前記先端突き当て部材に当接させる用紙縦揃え押圧部材と、を有することを特徴とする用紙後処理装置。
【請求項８】
前記用紙縦揃え手段は、前記スタック手段に載置される用紙の用紙搬送方向長さに対応して前記用紙縦揃え押圧部材を用紙搬送方向に往復移動させる制御と、綴じ処理された用紙束を排出させる時に、用紙搬送路から退避させる制御と、を行うことを特徴とする請求項７に記載の用紙後処理装置。
【手続補正２】
【補正対象書類名】明細書
【補正対象項目名】００１０
【補正方法】変更
【補正の内容】
【００１０】
第６の手段は、第１の手段において、前記放出手段が前記突起を備え、用紙放出方向に平行に駆動される無端状の放出ベルトからなるとともに、前記突起が１つの放出ベルトに２個設けられていることを特徴とする。
第７の手段は、画像形成装置から排出される用紙をスタック手段に積載し、綴じ処理を行う用紙後処理装置において、前記スタック手段に載置される用紙の用紙搬送方向に直交する用紙幅方向を揃える用紙幅揃え手段と、前記スタック手段に載置される用紙の用紙搬送方向を整合する用紙縦揃え手段と、を有し、前記用紙縦揃え手段は、前記スタック手段に載置される用紙の用紙進行方向先端部を位置決めする先端突き当て部材と、前記スタック手段の用紙搬送方向に往復移動可能に支持され、用紙進行方向後端部に圧接して前記用紙の先端部を前記先端突き当て部材に当接させる用紙縦揃え押圧部材と、を有することを特徴とする。
第８の手段は、第７の手段において、前記用紙縦揃え手段は、前記スタック手段に載置される用紙の用紙搬送方向長さに対応して前記用紙縦揃え押圧部材を用紙搬送方向に往復移動させる制御と、綴じ処理された用紙束を排出させる時に、用紙搬送路から退避させる制御と、を行うことを特徴とする。
【手続補正３】
【補正対象書類名】明細書
【補正対象項目名】００２７
【補正方法】変更
【補正の内容】
【００２７】
プレスタックによる２枚同時排出では、進行方向の揃えを強制する必要が生じる場合がある。この場合、スティプル入口センサ３７が用紙後端の通過を検知して一定時間が経過した後、放出ベルト１０を放出方向とは反対の方向に駆動し、放出爪１０ａの背面で用紙の先端を前記後端フェンス１９方向に押さえつける。その後、所定のジョガー９による揃え動作を行い、揃え動作終了後に放出爪１０ａは用紙束を放出する方向に回転して放出動作を実行する。このように放出爪１０は用紙縦揃え手段の用紙縦揃え押圧部材を兼ねている。
【手続補正４】
【補正対象書類名】明細書
【補正対象項目名】００５２
【補正方法】変更
【補正の内容】
【００５２】
請求項６記載の発明によれば、放出手段が突起を備え、用紙放出方向に平行に駆動される無端状の放出ベルトからなるとともに、前記突起が１つの放出ベルトに２個設けられているので、短時間で紙揃え動作を実行することができ、生産性を重視した後処理が可能になる。
請求項７、８記載の発明によれば、先端突き当て部材に位置決めされてスタック手段に載置された用紙に対して、用紙縦揃え押圧部材を、用紙進行方向後端部に圧接して用紙の先端部を先端突き当て部材に当接させるので、進行方向の用紙揃えを強制的に行うことができる。これにより、生産性を落とさず、かつ揃え精度を確保することができる。
【手続補正書】
【提出日】平成15年10月10日(2003.10.10)
【手続補正１】
【補正対象書類名】明細書
【補正対象項目名】特許請求の範囲
【補正方法】変更
【補正の内容】
【特許請求の範囲】
【請求項１】
金属コアと、該金属コアと直接的に接触している有機顔料粒子の非常に微細な実質的に連続している均一、均質な層とからなる着色金属顔料。
【請求項２】
前記有機顔料が、
キナクリドン、ペリレン、ジオキサジン、アントラキノン、インダントロン、フラバントロン、インジゴ、チオインジゴ、キノフタロン、イソインドリノン、イソインドリン、ジケトピロロピロール、ジチオケトピロロピロール、トリフェニルメタン、フタロシアニン、金属錯塩およびアゾ顔料からなる群から選択された単一顔料または複数顔料の混合物である請求項１記載の着色金属顔料。
【請求項３】
有機顔料ガスまたはプラズマが金属コアの方向に流れるように構成または装填される装置の中において真空蒸着によって請求項１記載の着色金属顔料を製造する方法。
【請求項４】
請求項１記載の顔料０．０１乃至３０重量％を含有する顔料組成物またはマスターバッチ。
【請求項５】
請求項１記載の着色金属顔料０．０１乃至３０重量％を使用する重合体材料をマス着色する方法。
【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
下記式（Ｉ）の非対称２、５−ジヒドロ−１、４−ジケトピロロ［３，４−ｃ］ピロールを６０乃至９０モル％
【化１】
1997132728.tif 000001
［式中、
Ｇ１とＧ２とは互いに独立的に下記式のいずれかの異なる基である
【化２】
1997132728.tif 000002
（式中、
Ｒ１とＲ２とは互いに独立的にフッ素、塩素、臭素、シアノ、ニトロ、トリフルオロメチル、Ｃ１−Ｃ８アルキル、Ｃ５−Ｃ６シクロアルキル、フェニル、Ｃ１−Ｃ８アルコキシ、Ｃ１−Ｃ８アルコキシカルボニル、Ｃ１−Ｃ８アルキルアミノ、Ｃ１−Ｃ８アルキルミノカルボニル、Ｃ１−Ｃ８ジアルキルアミノ、Ｃ１−Ｃ８ジアルキルアミノカルボニルまたはモルホリノであり、
Ｒ３は−Ｏ−、−ＮＲ５−、−Ｎ＝Ｎ−または−ＳＯ２−であり、
Ｒ４は水素、フッ素、塩素、臭素、シアノ、ニトロ、トリフルオロメチル、Ｃ１−Ｃ８アルキル、Ｃ１−Ｃ８アルコキシ、Ｃ１−Ｃ８アルキルアミノ、Ｃ１−Ｃ８ジアルキルアミノ、Ｃ１−Ｃ８アルコキシカルボニル、Ｃ１−Ｃ８アルキルアミノカルボニルまたはＣ１−Ｃ８ジアルキルアミノカルボニルであり、
Ｒ５は水素、メチルまたはエチルである）、ただし、
Ｇ１とＧ２のいずれか一方が下記式のいずれかの基
【化３】
1997132728.tif 000003
である場合には、他方のＧ２またはＧ１は下記式の基
【化４】
1997132728.tif 000004
（ここにおいて、Ｒ６は塩素であり、そしてＲ７はフッ素またはトリフルオロメチルであるか、またはＲ６とＲ７とは互いに独立的にフッ素、メチルまたはトリフルオロメチルである）であることはない］；
および
下記式（IIａ）の２、５−ジヒドロ−１、４−ジケトピロロ［３，４−ｃ］ピロールを４０乃至１０モル％
【化５】
1997132728.tif 000005
［式中、
Ｇ３とＧ４とは互いに独立的に下記式のいずれかの同種または異種の基である
【化６】
1997132728.tif 000006
（式中、Ｒ８はフッ素、塩素、シアノ、ニトロ、トリフルオロメチル、Ｃ１−Ｃ４アルキル、Ｃ１−Ｃ４アルコキシ、Ｃ１−Ｃ４アルキルアミノまたはＣ１−Ｃ４ジアルキルアミノである）］，または
下記式（IIｂ）のキナクリドンを４０乃至１０モル％
【化７】
1997132728.tif 000007
（式中、Ｒ９は水素、ハロゲン、Ｃ１−Ｃ４アルキルまたはＣ１−Ｃ４アルコキシである）、
からなる固溶体であって、式（Ｉ）の非対称２、５−ジヒドロ−１、４−ジケトピロロ［３，４−ｃ］ピロールの結晶構造を有する単相固溶体。
【請求項２】
請求項１に記載の固溶体を製造する方法であって、複数成分の混合物を
−極性有機溶剤中において成分同志を接触させることによって、
−強力に摩砕または混練することによって、
−酸性再沈殿によって、
−極性有機溶剤中におけるアルカリ性再沈殿によって、または
−アルカリ金属アルコラート、アルカリ金属水酸化物または第四アンモニウム化合物の存在下において極性有機溶剤中で一緒に攪拌することによって
単相固溶体に変換することを特徴とする方法。
【請求項３】
請求項１記載の固溶体を製造する方法であって、
［１］触媒としての塩基の存在下において、非プロトン有機溶剤中で、式（Ｉ）の化合物と式（IIａ）または（IIｂ）の化合物とを、１：２のモル比で、それ自体公知の方法によって、
下記式のジカーボネート
Ｌ−Ｏ−Ｌ                        （III)、
または下記式トリハロアセテテート
（Ｒ１６)３Ｃ−Ｌ                    （IV）、
または下記式のアジド
Ｌ−Ｎ３                         （Ｖ）、
または下記式のカーボネート
Ｌ−ＯＲ１７                      （VI）、
または下記式のアルキリデンイミノオキシホルメート
【化１３】
1997132728.tif 000008
（上記各式中、
Ｌは下記式のいずれかの基であり
【化１４】
1997132728.tif 000009
Ｒ１６は塩素、フッ素または臭素であり、
Ｒ１７はＣ１−Ｃ４アルキル、置換されていないフェニル、またはハロゲン、Ｃ１−Ｃ４アルキル、Ｃ１−Ｃ４アルコキシまたはＣＮによって置換されているフェニルであり、
Ｒ１８は−ＣＮまたは−ＣＯＯＲ１５であり、
Ｒ１９は置換されていないフェニル、またはハロゲン、Ｃ１−Ｃ４アルキル、Ｃ１−Ｃ４アルコキシまたはＣＮによって置換されているフェニルであり、
Ｒ２０は水素、Ｃ１−Ｃ６−アルキル、Ｃ２−Ｃ５アルケニルまたはＣ２−Ｃ５アルキニルであり、
Ｒ２１とＲ２２とは互いに独立的にＣ１−Ｃ６−アルキル、Ｃ２−Ｃ５アルケニルまたはＣ２−Ｃ５アルキニルである）と反応させて、下記式のいずれかの可溶性顔料前駆体を生成させ
【化１５】
1997132728.tif 000010
（式中、Ｇ１乃至Ｇ４およびＲ９は上記に定義した通りである）；
［２］これらの可溶性顔料前駆体を、固溶体の所望のモル比で、不活性液体中において、または乾燥形態、あるいは懸濁物または溶液の形態で均質に混合し；このあと
［３］該乾燥混合物、または懸濁または溶解された混合物から熱処理、光分解処理または化学処理、またはこれらの組み合わせによって所望の単相固溶体を沈殿させることを特徴とする方法。
【請求項４】
高分子有機材料を着色するための顔料として請求項１に記載の固溶体を使用する方法。
【請求項５】
請求項１に記載の固溶体と高分子有機材料とを含有する組成物。
【手続補正書】
【提出日】平成15年9月12日(2003.9.12)
【手続補正１】
【補正対象書類名】明細書
【補正対象項目名】０００９
【補正方法】変更
【補正の内容】
【０００９】
これら化合物は、インテグリンに対するメタロプロテイナーゼの結合を阻害し、従って細胞がプロテイナーゼの酵素活性を使えないようにする。これは、例えば、環状ＲＧＤペプチドによるマトリックスメタロプロテイナーゼ−２（ＭＭＰ−２）からヴィトロネクチン受容体αVβ3への結合の阻害が、P.C.Brooks等によりCell 85,683-693(1996)に記載されている。


【手続補正２】
【補正対象書類名】明細書
【補正対象項目名】００１２
【補正方法】変更
【補正の内容】
【００１２】
式Ｉの化合物は、生体材料、埋め込み材、カテーテルまたはペースメーカーが用いられる手術の場合に抗微生物物質としても用いられる。この場合それらは抗菌作用を有する。抗微生物作用の効果は、P.Valentin-Weigund等によりInfection and Immunity,2851-2855(1988)に記載されている。


【手続補正３】
【補正対象書類名】明細書
【補正対象項目名】００１４
【補正方法】変更
【補正の内容】
【００１４】
フィブリノゲン結合の阻害剤としての式Ｉの化合物は、異なる活性化段階およびフィブリノゲン受容体の細胞内シグナルメカニズムに関する血液血小板上のメタボリズムを研究することに効果的な補助物としても使用できる。受容体への結合後の取り込みラベル（例えばビオチニル、ｂｉｏｔｉｎｙｌ）の検出単位は、該メカニズムが研究されるようにする。
従って化合物は、インテグリン、特にインテグリンαVβ3、αVβ5およびαIIbβ3のみならずαVβ1、αVβ6およびαVβ8に対する天然または合成のリガンドの結合を阻害する性質をもつ。


【手続補正４】
【補正対象書類名】明細書
【補正対象項目名】００３９
【補正方法】変更
【補正の内容】
【００３９】
式Ｉの化合物は、それらの官能性誘導体から、加溶媒分解、特に加水分解により、または水素化分解により遊離させることによって得られる。


【手続補正５】
【補正対象書類名】明細書
【補正対象項目名】０１０７
【補正方法】変更
【補正の内容】
【０１０７】
実施例４
アフィニティー相を製造するために、Ｎ−マレイミド−（ＣＨ2）5−ＣＯ−ＮＨ−（ＣＨ2）3重合体［Ｎ−マレイミド−（ＣＨ2）5−ＣＯＯＨとＨ2Ｎ−（ＣＨ2）3重合体との縮合によって得られる］０．９ｇを、０．１Ｍ燐酸ナトリウム緩衝液１０ｍｌ中にｐＨ７で懸濁し、シクロ−（Ａｒｇ−Ｇｌｙ−Ａｓｐ−ＤＰｈｅ−ＮＭｅＬｙｓ（ＣＯ（ＣＨ2）2ＳＨ））１当量を４゜で加える。反応混合物を４時間撹拌し、同時に室温に加温し、固体残渣をろ過し、各々１０ｍｌの緩衝液（ｐＨ７）で２回、次いで各々１０ｍｌの水で３回洗浄する。シクロ−（Ａｒｇ−Ｇｌｙ−Ａｓｐ−ＤＰｈｅ−ＮＭｅＬｙｓ（ＣＯ（ＣＨ2）2Ｓ−３−（Ｎ−マレイミド−（ＣＨ2）5ＣＯＮＨ−（ＣＨ2）3重合体））が得られる。


【手続補正６】
【補正対象書類名】明細書
【補正対象項目名】０１０８
【補正方法】変更
【補正の内容】
【０１０８】
実施例５
実施例４と同様にして、重合体−Ｏ−（ＣＨ2）3−ＮＨ2［商業的に入手できる］およびシクロ−（Ａｒｇ−Ｇｌｙ−Ａｓｐ−ＮＭｅ−ＤＰｈｅ−Ｌｙｓ（ＣＯ（ＣＨ2）4ＣＯＯＨ））［アジピン酸をシクロ−（Ａｒｇ−Ｇｌｙ−Ａｓｐ−ＮＭｅ−ＤＰｈｅ−Ｌｙｓ）と上述した条件下に縮合することによって得られる］の縮合によって、次の重合体相：シクロ−（Ａｒｇ−Ｇｌｙ−Ａｓｐ−ＮＭｅ−ＤＰｈｅ−Ｌｙｓ−（ＣＯ（ＣＨ2）4−ＣＯ−ＮＨ−（ＣＨ2）3−Ｏ−重合体））、を与える。


【手続補正７】
【補正対象書類名】明細書
【補正対象項目名】０１０９
【補正方法】変更
【補正の内容】
【０１０９】
以下のものが、同様にして縮合によって得られる。
ＨＯＯＣ−ＣＨ2−Ｏ−重合体とシクロ−（ＮＭｅ−Ａｒｇ−Ｇｌｙ−Ａｓｐ−ＤＰｈｅ−Ｌｙｓ−（ＣＯ（ＣＨ2）5−ＮＨ2））とから、
シクロ−（ＮＭｅ−Ａｒｇ−Ｇｌｙ−Ａｓｐ−ＤＰｈｅ−Ｌｙｓ−（ＣＯ（ＣＨ2）5−ＮＨ−ＣＯ−ＣＨ2−Ｏ−重合体））。
【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
(ａ)殺虫性バクテリアおよびウイルスからなる群から選ばれる有効成分；
(ｂ)ポリマーがマトリックスを形成し、水性媒体中、中性からアルカリ性条件下で可溶性であり、弱酸性条件下で不溶性であるポリマー；
(ｃ)水に不溶性であり、(ｂ)のポリマーにより形成されたマトリックス中で活性成分と共に分散し、活性成分を紫外線および日光による不活性化から保護する光遮断剤である無機光遮断剤
を含む、生物殺虫性殺虫作用組成物。
【請求項２】
活性成分がバチルス・スリンギエンシス(Ｂacillus thuringiensis)結晶タンパク質または胞子もしくはそれらの組み合わせである、請求項１記載の組成物。
【請求項３】
組成物の重量の約３０−約８０％の活性成分、約１−約１５％のポリマーおよび約５−約６０％の光遮断剤を含む、請求項１または２に記載の組成物。
【請求項４】
活性成分がバチルス・スリンギエンシス・バリエタス・クルスタキ(Ｂacillus thuringiensis var. kurstaki)株由来のものである、請求項１から３のいずれかに記載の組成物。
【請求項５】
活性成分がバチルス・スリンギエンシス・バリエタス・アイザワイ(Ｂacillus thuringiensis var. aizawai)株由来のものである、請求項１から３のいずれかに記載の組成物。
【請求項６】
活性成分が組換えバチルス株由来のものである、請求項１記載の組成物。
【請求項７】
活性成分が天然存在バチルス株由来のものである、請求項１記載の組成物。
【請求項８】
活性成分がＣryＩＣ、ＣryＩＡ(ａ)、ＣryＩＡ(ｂ)、ＣryＩＡ(ｃ)、ＣryIIＡおよびＣryＩＥならびにそれらの混合物からなる群から選択される、請求項２記載の組成物。
【請求項９】
ポリマーがカルボキシポリアクリル酸またはスチレン無水マレイン酸コポリマーである、請求項１から８のいずれかに記載の組成物。
【請求項１０】
無機光遮断剤がカーボンブラック、二酸化チタニウムまたはそれらの混合物である、請求項１から９のいずれかに記載の組成物。
【請求項１１】
ウイルスが、オウトグラファ・カリフォルニカ(Ａutographa californica)ＮＰＶ、ヘリオティス・ゼア(Ｈeliothis zea)ＮＰＶ、スポドプテラ・エキシグア(Ｓpodoptera exigua)ＮＰＶ、アナグラファ・ファルシフェラ(Ａnagrapha falcifera)ＮＰＶを含むバキュロウイルスである、請求項１記載の組成物。
【請求項１２】
組成物を更に顆粒、水和剤、水基本流動性製剤または油基本流動性製剤に調剤する、請求項１から１１のいずれかに記載の組成物。
【請求項１３】
請求項１から１２のいずれかに記載の組成物の殺虫有効量を害虫駆除を欲する場所で使用することを含む、該場所の害虫を駆除する方法。
【請求項１４】
害虫がＬepidoptera害虫である、請求項１３記載の方法。
【請求項１５】
害虫がＣoleoptera害虫である、請求項１３記載の方法。
【請求項１６】
(ａ)水性媒体中で、ポリマーが中性からアルカリ条件下で可溶性であり、弱酸性条件下で不溶性であるポリマー溶液を形成する；
(ｂ)無機光遮断剤の分散液を形成する；
(ｃ)バクテリアおよびウイルスからなる群から選択される活性殺虫成分の懸濁培養液を得る；
(ｄ)揮発性塩基の溶液を製造し、該溶液を上記工程(ｃ)の懸濁液と混合する；
(ｅ)光遮断剤の分散液をポリマー溶液と混合し、第２の分散液を得、第２の分散液を活性成分の懸濁液および揮発性塩基の溶液と混合する；および
(ｆ)活性成分および光遮断剤がポリマーにより形成されたマトリックス中に分散している(ｅ)の混合物を噴霧乾燥する：
工程を含む、生物殺虫性殺虫作用組成物の製造法。
【請求項１７】
バクテリアが、殺虫性タンパク質または胞子もしくはそれらの混合物を含むバチルス・スリンギエンシスである、請求項１６記載の方法。
【請求項１８】
光遮断剤がカーボンブラックまたは二酸化チタニウムもしくはそれらの混合物であり、組成物の約５から６０％含まれる、請求項１６記載の方法。
【請求項１９】
ポリマーがカルボキシポリアクリル酸またはスチレン無水マレイン酸コポリマーであり、組成物の約１から１５％含まれる、請求項１８記載の方法。
【請求項２０】
請求項１６記載の方法により製造される、生物殺虫性組成物。
【請求項２１】
(ａ)活性成分としての殺虫タンパク質または胞子もしくはそれらの混合物を含むバチルス・スリンギエンシスまたはバキュロウイルスの培養懸濁液を得、無機光遮断剤を懸濁液と混合する；
(ｂ)ポリマーが水性媒体中、中性からアルカリ性条件下で可溶性であり、弱酸性条件下で不溶性であり、ポリマーがカルボキシポリアクリル酸またはスチレン無水マレイン酸のコポリマーであり、組成物の約３−１０％含まれるポリマー溶液を作成する；
(ｃ)(ａ)の混合物を(ｂ)の溶液と混合し、懸濁液を得る；および
(ｄ)活性成分および光遮断剤がポリマーにより形成されたマトリックス中に分散している懸濁液を噴霧乾燥する：
工程を含む、生物殺虫性殺虫作用組成物の製造法。
【請求項２２】
請求項２１記載の方法により生産される生物殺虫性組成物。
【手続補正書】
【提出日】平成15年9月29日(2003.9.29)
【手続補正１】
【補正対象書類名】明細書
【補正対象項目名】０００８
【補正方法】変更
【補正の内容】
【０００８】
顔料用の常用の添加剤をカップリング反応混合物に含めることができ、あるいはこれをレーキ化の前または後にアゾ染料に添加することもできる。このような常用の添加剤には、分離粒子の形成を補助し、最終産物の特性を改善するための１種類以上の界面活性剤、およびレジネート（樹脂加工した）顔料を形成し、それによって顔料の分散性を改善するために従来使用されている１種類以上の樹脂が含まれる。この樹脂の例は、ロジン例えば不均化ロジンである。
【手続補正書】
【提出日】平成15年7月1日(2003.7.1)
【手続補正１】
【補正対象書類名】明細書
【補正対象項目名】請求項１
【補正方法】変更
【補正の内容】
【請求項１】
不活性吸着剤を使用することによる塩素の吸着および吸着剤／塩素混合物を脱着蒸留カラムに供給することにより吸着段階から取り出された吸着剤／塩素混合物からの塩素の下流方向への脱着によって、塩素含有供給ガスから高純度の塩素を分離するための方法において、塩素分離カラムの塔頂部と脱着蒸留カラムの上部および脱着蒸留カラムの下部と塩素分離カラムの塔底部が、互いにガスおよび液体の双方の側で接続しているように塩素分離カラムに接続されている脱着蒸留カラム中で脱着蒸留を実施し、この場合、吸着剤／塩素混合物は、専ら、脱着蒸留カラムに供給され、かつ高純度の塩素は、塩素分離カラムの中央部から取り出されることを特徴とする、塩素含有供給ガスからの高純度の塩素の分離法。
【手続補正２】
【補正対象書類名】明細書
【補正対象項目名】００２８
【補正方法】変更
【補正の内容】
【００２８】
【課題を解決するための手段】
前記課題は、不活性吸着剤を用いる塩素の吸着および吸着剤／塩素混合物を脱着蒸留カラムに供給することにより吸着段階から取り出された吸着剤／塩素混合物からの塩素の下流方向への脱着によって、塩素含有供給ガスから高純度の塩素を分離するための方法により解決されることが見出され、この方法は、塩素分離カラムの塔頂部と脱着蒸留カラムの上部および脱着蒸留カラムの下部と塩素分離カラムの塔底部とがガスおよび液体の双方の側で互いに接続しているようにして塩素分離カラムに接続されている脱着蒸留カラム中で脱着蒸留を実施することからなり、この場合、吸着剤／塩素混合物は、専ら、脱着蒸留カラムに供給され、かつ高純度の塩素は、塩素分離カラムの中央部から取り出されている。
【手続補正書】
【提出日】平成15年9月19日(2003.9.19)
【手続補正１】
【補正対象書類名】明細書
【補正対象項目名】請求項１
【補正方法】変更
【補正の内容】
【請求項１】
窒素の生産方法において、圧縮され清浄化された原料空気である圧縮清浄原料空気を空気の精留に適した温度に冷却し、
前記圧縮清浄原料空気を蒸留塔に導入して、富窒素蒸気塔頂生成物と、塔底生成物としての富酸素液とを生成し、
前記富窒素蒸気塔頂生成物から成る富窒素留出物の少なくとも一部を凝縮させて得られる凝縮液の少なくとも一部を還流液として前記蒸留塔に導入し、
該富酸素液よりも窒素含有率が大きい窒素含有液を前記蒸留塔から抽出し、
前記富酸素液から成る第１冷却媒体と前記窒素含有液から成る第２冷却媒体とをそれぞれ膨張させ、
前記富窒素留出物の少なくとも一部を前記第１冷却媒体及び前記第２冷却媒体で凝縮させることによって第１気化冷却媒体及び第２気化冷却媒体を生成し、
前記富窒素留出物の別の部分から窒素生産物を抽出し、
前記第１気化冷却媒体を、部分的に加温した上で、膨張仕事を伴わせて膨張させることによって冷凍媒体を生成し、
前記冷凍媒体と前記圧縮清浄原料空気との間で間接的熱交換を行わせ、
前記第２気化冷却媒体を圧縮し、該第２気化冷却媒体を前記温度に冷却し、該第２気化冷却媒体を前記蒸留塔の底部に導入することによって前記窒素生産物の収量を向上させる、
ことを特徴とする方法。
【手続補正書】
【提出日】平成15年10月9日(2003.10.9)
【手続補正１】
【補正対象書類名】明細書
【補正対象項目名】発明の名称
【補正方法】変更
【補正の内容】
【発明の名称】圧電屈曲素子に補助されている杼口形成手段を選択する杼口形成装置
【手続補正２】
【補正対象書類名】明細書
【補正対象項目名】特許請求の範囲
【補正方法】変更
【補正の内容】
【特許請求の範囲】
【請求項１】
フックを外す動作原理に従って動作する、上昇および下降する相補フック（２，２）と上昇および下降する相補ブレード（１，１’）とを有しており、柄を織るためおよび柄を編むために、ジャカードタイプの織機および／または編み機における、圧電屈曲素子に補助されている杼口形成手段を選択する杼口形成装置において、
前記圧電屈曲素子（９，９’）は、前記フックの上を滑動するアーム（１７）を備えているＵ字型のクリップ（８，８’）を前記圧電屈曲素子の自由端に有していることを特徴とする杼口形成装置。
【請求項２】
前記相補フック（２，２’）は、タックル（１１）を引き上げ、これによって通糸（１２）も引き上げるために、上昇するブレード（１，１’）の作用によって溝（１６，１６’）に沿って上下に滑動することができる弾性屈曲ばね部（３，３’）に取り付けられている、請求項１に記載の杼口形成装置。
【請求項３】
可撓性の前記フック（２，２’）は前記フックの内側にカム（４，４’）を備えている、請求項１または２に記載の杼口形成装置。
【請求項４】
前記クリップ（８，８’）はフレーム（１９）の案内溝（１６）内を滑動する長いアーム（１８）を有している、請求項１から３のいずれか１項に記載の杼口形成装置。
【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
ペイパービュー番組の番組予約方法において、
視聴済み番組の視聴料金の累積額および予約してある番組の視聴料金の累積額および新たに視聴したい番組の視聴料金の合計と視聴上限を比較し、
前記合計が前記視聴上限を超える場合、前記新たに視聴したい番組の視聴を不可とし、
前記合計が前記視聴上限以下の場合、前記新たに視聴したい番組の視聴を可能とし、
前記予約してある番組の視聴後にこの視聴に対する視聴料金を、前記視聴済み番組の視聴料金の累積額へ加算するとともに、前記予約してある番組の視聴料金の累積額から減算することを特徴とするペイパービュー番組の予約方法。
【請求項２】
ペイパービュー番組を録画予約する受信機において、
視聴済み番組の視聴料金の累積額と番組の視聴上限を記憶する第１の記憶手段と、
番組予約してある番組の視聴料金の累積額を記憶する第２の記憶手段と、
視聴済み番組の視聴料金の累積額および予約してある番組の視聴料金の累積額および新たに視聴したい番組の視聴料金の合計と前記視聴上限とを比較し、前記合計が前記視聴上限を超える場合、前記新たに視聴したい番組の視聴を不可とし、前記合計が前記視聴上限以下の場合、前記新たに視聴したい番組の視聴を可能とし、前記予約してある番組の視聴後にこの視聴に対する視聴料金を、前記第２の記憶手段内の視聴料金の累積額から減算するとともに、前記第１の記憶手段内の視聴済み番組の視聴料金の累積額に加算する制御手段とを具備したことを特徴とする受信機。
【請求項３】
ペイパービュー番組を番組予約する受信機において、
視聴済み番組の視聴料金の累積額と番組の視聴上限を記憶し、番組予約してある番組の視聴料金を記号を付して記憶する記憶手段と、
視聴済み番組の視聴料金の累積額および番組予約してある番組の視聴料金の累積額および新たに視聴したい番組の視聴料金の合計と前記視聴上限とを比較し、前記合計が前記視聴上限を超える場合、前記新たに視聴したい番組の視聴を不可とし、前記合計が前記視聴上限以下の場合、前記新たに視聴したい番組の視聴を可能とし、前記予約してある番組の視聴後にこの視聴に対する視聴料金を、前記記憶手段内の前記視聴済み番組の視聴料金の累積額へ加算するとともに、前記記憶手段から前記記号を消去する制御手段とを具備し、
前記制御手段は、前記記号が付されているか否かにより前記視聴済みの番組の視聴料金か前記番組予約してある番組の視聴料金かを判別することを特徴とする受信機。
【手続補正２】
【補正対象書類名】明細書
【補正対象項目名】００１３
【補正方法】変更
【補正の内容】
【００１３】
【発明が解決しようとする課題】
ＰＰＶ視聴において、視聴可能な上限を設定されている場合であり、かつその番組を番組予約（録画予約または視聴予約）したい場合に、次に示すような問題が発生することがあった。


【手続補正３】
【補正対象書類名】明細書
【補正対象項目名】００１６
【補正方法】変更
【補正の内容】
【００１６】
【課題を解決するための手段】
ペイパービュー番組の番組予約方法において、視聴済み番組の視聴料金の累積額および予約してある番組の視聴料金の累積額および新たに視聴したい番組の視聴料金の合計と視聴上限を比較し、前記合計が前記視聴上限を超える場合、前記新たに視聴したい番組の視聴を不可とし、前記合計が前記視聴上限以下の場合、前記新たに視聴したい番組の視聴を可能とし、前記予約してある番組の視聴後にこの視聴に対する視聴料金を、前記視聴済み番組の視聴料金の累積額へ加算するとともに、前記予約してある番組の視聴料金の累積額から減算することを特徴とする。
【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
（ａ）レンズ保持手段を受け入れるための開口を画定する実質的に円形の周囲を含む少なくとも一つの端部を有する、消毒液を入れるための容器と、
（ｂ）該容器に対し、該開口端で解放自在に固着されるためのキャップと、
（ｃ）該キャップが該容器に固着されたとき該容器中に延びる、該キャップに固着された細長い部材と、
（ｄ）該キャップが該容器に固着されたとき該容器中に延びる、該細長い部材に固着された、消毒される物品を保持するための手段と、
（ｅ）該物品保持手段と該キャップとの間で該細長い部材に固着された、該容器を解放自在に密封し、それにより、通常は液体不浸透性のシールを提供するための解放自在の密封手段と、
該密封手段は、内圧が外圧を超える所定の圧力に達したとき、該密封手段の一部を少なくとも部分的に変形させ、それにより、該容器の中の地点と、該容器の外の地点との間で通路を形成することにより、該容器内で発生した内部ガスが該容器の外の地点に抜けるように、少なくとも部分的に変形性であることと、
（ｆ）該キャップが該容器に固着されたとき該密封容器の内側に配置される、細長い部材に固着された触媒要素と、
を含むことを特徴とする消毒装置。
【請求項２】
該キャップが、その中を貫通する少なくとも１個の孔を含み、ガス内圧が外部の大気圧を超える該所定の圧力を超えたとき、ガスが、該密封手段を少なくとも部分的に変形させ、該密封手段と該容器の壁との間を通過し、該キャップ中の孔を通過することによって抜けるようになっている請求項１記載の装置。
【請求項３】
該キャップおよび該容器に設けられた嵌め合いねじによって該キャップが該容器に固着され、該密封容器内の圧力が該所定の圧力を超えたとき、該嵌め合いねじが、ガスを該嵌め合いねじの間の空間に通して抜くのに十分な空間を設けている請求項１記載の装置。
【請求項４】
該触媒要素が該細長い部材に永久的に固着されて、該触媒要素の取外しが該触媒要素保持手段を損傷し、該触媒要素保持手段を作動不能にするようになっている請求項１記載の装置。
【請求項５】
該眼用レンズがコンタクトレンズである請求項１記載の装置。
【請求項６】
該触媒要素が、
（ａ）（１）ベース部と、
（２）ベース部の周縁から延びる、内側凹面および外側凸面を画定する側壁部と、
（３）該触媒要素を触媒要素担持部材に固着するための手段とを含む触媒基材と、
（ｂ）該面の少なくとも一つの少なくとも一部に付着した、溶液中の化学種の分解を触媒する触媒物質の被覆とを含む請求項１記載の装置。
【請求項７】
該密封手段が、
（ａ）内面および外面を有するハウジングと、
（ｂ）該外面から外側に、該容器の内面に接触して、該容器とで実質的に液体不浸透性である密封室を構成するのに十分な距離だけ延びる少なくとも２個の細長いリムとを含み、
室の内圧が該リムの外の圧力を超える所定の量を超えたとき、該リムが、少なくとも部分的に変形して該室からガスを抜くのに十分な可撓性を有し、
ガス抜き後、該リムが復元して該容器の該内面に接触し、それにより、該密封室を再び構成するのに十分な弾性を有している請求項１記載の装置。
【請求項８】
溶液を保持する実質的に円筒形の容器を含む装置であって、装置の使用または貯蔵の際に抜かなければならない内部で発生したガスに暴露される装置に用いるための密封およびガス抜き部品において、
（ａ）内面および外面を有するハウジングと、
（ｂ）該外面から外側に、該円筒形容器の内面に接触して、該容器とで実質的に液体不浸透性である密封室を構成するのに十分な距離だけ延びる少なくとも２個の細長いリムとを含み、
室の内圧が該リムの外の圧力を超える所定の量を超えたとき、該リムが、少なくとも部分的に変形して該室からガスを抜くのに十分な可撓性を有し、
ガス抜き後、該リムが復元して該容器の該内面に接触し、それにより、該密封室を再び構成するのに十分な弾性を有することを特徴とする密封およびガス抜き部品。
【請求項９】
眼用レンズを保持し、容器を密封し、触媒要素を保持するためのアセンブリにおいて、
（ａ）該アセンブリとともに使用される容器に固着するための手段を含むキャップと、
（ｂ）該キャップに固着された細長い担持部材と、
（ｃ）該細長い担持部材に固着され、該容器とで実質的に液体不浸透性で気体透過性の室を構成することができる、該容器を密封するための手段と、
（ｄ）該細長い担持部材に固着された、コンタクトレンズを保持するための手段と、
（ｅ）該細長い担持部材に固着された、触媒要素を保持するための手段と、
（ｆ）該触媒要素保持手段中に保持される触媒要素と、
を含むことを特徴とするアセンブリ。
【手続補正書】
【提出日】平成15年12月2日(2003.12.2)
【手続補正１】
【補正対象書類名】明細書
【補正対象項目名】請求項３
【補正方法】変更
【補正の内容】
【請求項３】
デンドリマーと、一般式（Ａ）：
【化９】
2003226682.tif 000001
（式中、Ｒ3 は水素原子またはメチル基を、ｍは１〜６の整数を、Ｘ1 は−ＣＯ2 −基、−ＯＣＯ−基、−ＣＯ−、−ＣＨ＝ＣＨ−または−Ｃ≡Ｃ−を、Ｒ4 は炭素数１〜６のアルコキシ基、シアノ基、フルオロ基または炭素数１〜６のアルキル基を、ｐおよびｑは１または２を示す。）で表される液晶性アクリル酸エステル誘導体と、一般式（Ｂ）：
【化１０】
2003226682.tif 000002
（式中、Ｒ5 は水素原子またはメチル基を、ｎは１〜６の整数を、Ｘ2 は−ＣＯ2 −基、−ＯＣＯ−基、−ＣＯ−、−ＣＨ＝ＣＨ−または−Ｃ≡Ｃ−を、Ｒ6 は一般式（ｃ）：
【化１１】
2003226682.tif 000003
（各式中、Ｒ7 は、フェニル基、１−ナフチル基、２−ナフチル基またはビフェニル基を、Ｒ8 は、メチル基、フェニル基またはカルボキシメチル基を、Ｒ9 はメチル基、ベンジル基またはｔ−ブチル基を示す。＊は不斉炭素原子を示す。）で表される置換基を示す。）で表される液晶性アクリル酸エステル誘導体の混合物を、触媒の存在下または非存在下に反応させることを特徴とするコレステリック液晶性デンドリマーの製造方法。
【手続補正２】
【補正対象書類名】明細書
【補正対象項目名】０００８
【補正方法】変更
【補正の内容】
【０００８】
また本発明は、デンドリマーと、一般式（Ａ）：
【化２２】
2003226682.tif 000004
（式中、Ｒ3 は水素原子またはメチル基を、ｍは１〜６の整数を、Ｘ1 は−ＣＯ2 −基、−ＯＣＯ−基、−ＣＯ−、−ＣＨ＝ＣＨ−または−Ｃ≡Ｃ−を、Ｒ4 は炭素数１〜６のアルコキシ基、シアノ基、フルオロ基または炭素数１〜６のアルキル基を、ｐおよびｑは１または２を示す。）で表される液晶性アクリル酸エステル誘導体と、一般式（Ｂ）：
【化２３】
2003226682.tif 000005
（式中、Ｒ5 は水素原子またはメチル基を、ｎは１〜６の整数を、Ｘ2 は−ＣＯ2 −基、−ＯＣＯ−基、−ＣＯ−、−ＣＨ＝ＣＨ−または−Ｃ≡Ｃ−を、Ｒ6 は一般式（ｃ）：
【化２４】
2003226682.tif 000006
（各式中、Ｒ7 は、フェニル基、１−ナフチル基、２−ナフチル基またはビフェニル基を、Ｒ8 は、メチル基、フェニル基またはカルボキシメチル基を、Ｒ9 はメチル基、ベンジル基またはｔ−ブチル基を示す。＊は不斉炭素原子を示す。）で表される置換基を示す。）で表される液晶性アクリル酸エステル誘導体の混合物を、触媒の存在下または非存在下に反応させることを特徴とするコレステリック液晶性デンドリマーの製造方法、に関する。
【手続補正書】
【提出日】平成15年6月16日(2003.6.16)
【手続補正１】
【補正対象書類名】明細書
【補正対象項目名】特許請求の範囲
【補正方法】変更
【補正の内容】
【特許請求の範囲】
【請求項１】
金属製の芯材に接着剤又は接着層を介して、樹脂層を複合押出被覆成形して得られる自動車用モールディングにおいて、単層又は複層の被覆樹脂層の内、少なくとも接着剤又は接着層を介して芯材に被覆される表皮樹脂層の一部が、曲げ弾性率８００ＭＰａ以上となる硬度が高く傷付きにくいポリオレフィン樹脂層であることを特徴とする自動車用モールディング。
【請求項２】
表皮樹脂層であるポリオレフィン樹脂層の曲げ弾性率が８００〜１，６００ＭＰａである請求項１記載の自動車用モールディング。
【請求項３】
ポリオレフィン樹脂がポリプロピレン樹脂（ＰＰ）である請求項１又は請求項２記載の自動車用モールディング。
【請求項４】
請求項１〜３記載の自動車用モールディングにおいて、その接着剤又は接着層が変性ポリオレフィン系の接着剤又は接着性ポリオレフィン樹脂である自動車用モールディング。
【手続補正書】
【提出日】平成15年9月1日(2003.9.1)
【手続補正１】
【補正対象書類名】明細書
【補正対象項目名】００１０
【補正方法】変更
【補正の内容】
【００１０】
しかも、本発明によれば、工場設備の簡素化、生産性の向上、例えば現在使用中のサンドグラインドミルなどの分散機を使用して、凝集した顔料をほぐした後に衝撃波、プラズマ分散機で分散するなど、併用する。品質管理の向上、例えばサンドグラインドミルなどの分散機で、長時間分散すると、塗料に機械の汚染が起こる。在庫量の削減、などの効果がある。
【手続補正書】
【提出日】平成15年9月2日(2003.9.2)
【手続補正１】
【補正対象書類名】明細書
【補正対象項目名】請求項１
【補正方法】変更
【補正の内容】
【請求項１】
台紙と、この台紙に脱離可能に保持され内部に薬剤または健康補助食品を収容した複数個の包装材とからなり、
当該台紙が、各包装材が内側となるように二つ折り又は三つ折り可能に形成され、  二つ折り又は三つ折りされた台紙の対向する面の間に当該両面の間隔を保持する間隔保持部材が設けられた薬剤または健康補助食品用の保持具。
【手続補正２】
【補正対象書類名】明細書
【補正対象項目名】０００９
【補正方法】変更
【補正の内容】
【０００９】
【課題を解決するための手段】
上記目的を達成するために、請求項１の発明は、台紙と、この台紙に脱離可能に保持され内部に薬剤または健康補助食品を収容した複数個の包装材とからなり、当該台紙が、各包装材が内側となるように二つ折り又は三つ折り可能に形成され、二つ折り又は三つ折りされた台紙の対向する面の間に当該両面の間隔を保持する間隔保持部材が設けられたものである。


【手続補正３】
【補正対象書類名】明細書
【補正対象項目名】００１０
【補正方法】変更
【補正の内容】
【００１０】
上記請求項１の発明では、台紙を二つ折り又は三つ折りすれば大きさが１／２又は１／３程度となる。したがって、運搬や保管が容易となる。また、販売店などで場所を取らずに陳列できる。また、運搬や保管の際、各包装材は二つ折り又は三つ折りされた台紙の内側に位置するので、当該台紙が緩衝材の役目を果たすことになる。そのため、各包装材および当該包装材に収容された薬剤または健康補助食品が外部からの衝撃等によって破損するのを効果的に防止できる。また、間隔保持部材によって、二つ折り又は三つ折りされた台紙の対向する面の間隔がより一層確実に保持される。これにより、二つ折り等された台紙の対向する面に張り付けられた包装材が破損するのをより一層確実に防止できる。
【手続補正４】
【補正対象書類名】明細書
【補正対象項目名】００３２
【補正方法】変更
【補正の内容】
【００３２】
次に、各包装材は、暦台紙１１の各数字表示部分１２に当該各数字を覆うように貼り付けられている。この実施形態では、包装材として、図２に示すように、各種の健康補助食品３１を収容・密封する袋（包装袋２１）が使用されている。各包装袋２１の表面２３には、当該各袋２１が覆っている暦台紙１１側の日付を表す数字と同じ数字が表示されている。例えば、上記「３」の数字が表示された暦台紙１１部分には、表面２３に「３」の数字が表示された包装袋２１が剥ぎ取り可能に接着剤を用いて貼付されている。


【手続補正５】
【補正対象書類名】明細書
【補正対象項目名】００６０
【補正方法】変更
【補正の内容】
【００６０】
【発明の効果】
請求項１の発明によれば、台紙を、各包装材が内側となるように二つ折り又は三つ折り可能に形成し、二つ折り又は三つ折りされた台紙の対向する面の間に当該両面の間隔を保持する間隔保持部を設けたので、運搬や保管が容易となる。また、販売店などで場所を取らずに陳列できる。また、運搬や保管の際、包装材は二つ折り又は三つ折りされた台紙の内側に位置するので、当該暦台紙が緩衝材の役目を果たすことになる。そのため、包装材や当該各包装材に収容された薬剤または健康補助食品が外部からの衝撃等によって破損するのを効果的に防止できる。また、間隔保持部材によって、二つ折り又は三つ折りされた台紙の対向する面の間隔がより一層確実に保持されるので、包装材が破損するのをより一層確実に防止できる。
【手続補正６】
【補正対象書類名】明細書
【補正対象項目名】００６２
【補正方法】変更
【補正の内容】
【００６２】
請求項３の発明によれば、台紙が所定期間の日付を表す数字が順番に記された暦台紙からなり、各包装材が当該暦台紙の各数字表示部分に当該各数字を覆うように個別に貼付され、かつ、それぞれの表面には当該各包装材が覆っている暦台紙側の日付を表す数字と同じ数字が表示されているので、請求項１又は２記載の発明の場合と同様な効果を奏するとともに、薬剤または健康補助食品の飲み忘れや飲みすぎを防止できる。
【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
音響再生装置を備えたコンピュータシステムで使用される交換可能媒体の初期化方法であって、
前記交換可能媒体の初期化動作に伴い音声情報を該交換可能媒体に記録することを特徴とする交換可能媒体の初期化方法。
【請求項２】
前記音声情報は前記コンピュータシステム側に予め記録されている音声情報であることを特徴とする請求項１に記載の交換可能媒体の初期化方法。
【請求項３】
音声の発話を要求する工程を含み、前記音声情報は発話された音声に対応する音声情報であることを特徴とする請求項１に記載の交換可能媒体の初期化方法。
【請求項４】
入力された情報に基づいて前記音声情報を作成する工程を含むことを特徴とする請求項１に記載の交換可能媒体の初期化方法。
【請求項５】
前記音声情報は前記コンピュータシステム側に設けられている音声ファイルを指定する情報であることを特徴とする請求項１に記載の交換可能媒体の初期化方法。
【請求項６】
請求項１〜５のいずれかの一に記載の交換可能媒体の初期化方法により初期化された交換可能媒体を再生する音響再生装置を備えたコンピュータシステムであって、
前記音声情報の検知を試み、該音声情報を検知できない場合に操作者に注意を促す手段を備えたことを特徴とするコンピュータシステム。
【手続補正２】
【補正対象書類名】明細書
【補正対象項目名】００１１
【補正方法】変更
【補正の内容】
【００１１】
【課題を解決するための手段】
請求項１の交換可能媒体の初期化方法では、音響再生装置を備えたコンピュータシステムで使用される交換可能媒体の初期化方法であって、前記交換可能媒体の初期化動作に伴い音声情報を該交換可能媒体に記録することを可能にしている。


【手続補正３】
【補正対象書類名】明細書
【補正対象項目名】００１２
【補正方法】変更
【補正の内容】
【００１２】
請求項２の交換可能媒体の初期化方法では、請求項１に記載の交換可能媒体の初期化方法において、前記音声情報は前記コンピュータシステム側に予め記録されている音声情報である。


【手続補正４】
【補正対象書類名】明細書
【補正対象項目名】００１３
【補正方法】変更
【補正の内容】
【００１３】
請求項３の交換可能媒体の初期化方法では、請求項１に記載の交換可能媒体の初期化方法において、音声の発話を要求する工程を含み、前記音声情報は発話された音声に対応する音声情報である。


【手続補正５】
【補正対象書類名】明細書
【補正対象項目名】００１４
【補正方法】変更
【補正の内容】
【００１４】
請求項４の交換可能媒体の初期化方法では、請求項１に記載の交換可能媒体の初期化方法において、入力された情報に基づいて前記音声情報を作成する工程を含む。


【手続補正６】
【補正対象書類名】明細書
【補正対象項目名】００１５
【補正方法】変更
【補正の内容】
【００１５】
請求項５の交換可能媒体の初期化方法では、請求項１に記載の交換可能媒体の初期化方法において、前記音声情報は前記コンピュータシステム側に設けられている音声ファイルを指定する情報である。


【手続補正７】
【補正対象書類名】明細書
【補正対象項目名】００１６
【補正方法】変更
【補正の内容】
【００１６】
請求項１〜５のいずれかの一に記載の交換可能媒体の初期化方法により初期化された交換可能媒体を再生する音響再生装置を備えたコンピュータシステムであって、前記音声情報の検知を試み、該音声情報を検知できない場合に操作者に注意を促す手段を備えた。


【手続補正８】
【補正対象書類名】明細書
【補正対象項目名】００５２
【補正方法】変更
【補正の内容】
【００５２】
【発明の効果】
請求項１の交換可能媒体の初期化方法では、音響再生装置を備えたコンピュータシステムで使用される交換可能媒体の初期化方法であって、前記交換可能媒体の初期化動作に伴い音声情報を該交換可能媒体に記録することを可能にしている。したがって、媒体を挿入すれば、その媒体の説明が音声で行なわれることなどが可能となるので、容易かつ正確に識別することができる。


【手続補正９】
【補正対象書類名】明細書
【補正対象項目名】００５３
【補正方法】変更
【補正の内容】
【００５３】
請求項２の交換可能媒体の初期化方法では、請求項１に記載の交換可能媒体の初期化方法において、前記音声情報は前記コンピュータシステム側に予め記録されている音声情報である。したがって、請求項１の初期化方法による効果に加えて、予め用意されている音声で、当該媒体の内容などを説明することができる。


【手続補正１０】
【補正対象書類名】明細書
【補正対象項目名】００５４
【補正方法】変更
【補正の内容】
【００５４】
請求項３の交換可能媒体の初期化方法では、請求項１に記載の交換可能媒体の初期化方法において、音声の発話を要求する工程を含み、前記音声情報は発話された音声に対応する音声情報である。したがって、請求項１の初期化方法による効果に加えて、操作者の発話によるだけで、当該媒体の内容を説明することができる。


【手続補正１１】
【補正対象書類名】明細書
【補正対象項目名】００５５
【補正方法】変更
【補正の内容】
【００５５】
請求項４の交換可能媒体の初期化方法では、請求項１に記載の交換可能媒体の初期化方法において、入力された情報に基づいて前記音声情報を作成する工程を含む。したがって、音声情報を作成しておくことができる。


【手続補正１２】
【補正対象書類名】明細書
【補正対象項目名】００５６
【補正方法】変更
【補正の内容】
【００５６】
請求項５の交換可能媒体の初期化方法では、請求項１に記載の交換可能媒体の初期化方法において、前記音声情報は前記コンピュータシステム側に設けられている音声ファイルを指定する情報である。したがって、請求項１の初期化方法による効果に加えて、音声の代りに音声ファイルを指定する情報を付加することで、コンピュータシステム側に用意された音声ファイルを利用することが可能になり、媒体を容易に識別することができる。この場合には、音声データが媒体側に存在しないので、媒体の記憶容量を著しく損うことは少ない。そのため、比較的記憶容量の少ないＦＤ等の媒体に有効である。


【手続補正１３】
【補正対象書類名】明細書
【補正対象項目名】００５７
【補正方法】変更
【補正の内容】
【００５７】
請求項６の装置では、請求項１〜５のいずれかの一に記載の交換可能媒体の初期化方法により初期化された交換可能媒体を再生する音響再生装置を備えたコンピュータシステムであって、前記音声情報の検知を試み、該音声情報を検知できない場合に操作者に注意を促す手段を備えた。この場合には、上記のような音声情報が付加されていないときには、システム側に用意された音声などを利用して、操作者に対して注意を促すことができる。